(57)【要約】      （修正有）【課題】マルチパス歪みを抑制して受信品質を向上することができる受信装置を提供することを目的とする。【解決手段】  複数のアンテナと、複数のアンテナを介して得られた各ベースバンド信号のうち、それぞれ異なる帯域成分を用いて、ベースバンド信号の振幅及び位相を制御するための重み係数をベースバンド信号の数だけ生成し、各ベースバンド信号と各重み係数とをそれぞれ乗算した上でこれらを加算する複数の合成部と、各合成部から出力される合成信号に対してそれぞれ高速フーリエ変換を行って、各サブキャリア毎に直交周波数分割多重方式に基づく復調処理を施すことにより、振幅及び位相のデータを生成する複数の復調回路と、各復調回路から出力されるデータをサブキャリア毎に合成するキャリア合成部とを備えることを特徴とする。【選択図】図１
2006217399.tif 000002
【特許請求の範囲】
【請求項１】
複数のアンテナと、
前記複数のアンテナを介して得られた各ベースバンド信号のうち、それぞれ異なる帯域成分を用いて、前記ベースバンド信号の振幅及び位相を制御するための重み係数を前記ベースバンド信号の数だけ生成し、前記各ベースバンド信号と前記各重み係数とをそれぞれ乗算した上でこれらを加算する複数の合成部と、
前記各合成部から出力される合成信号に対してそれぞれ高速フーリエ変換を行って、各サブキャリア毎に直交周波数分割多重方式に基づく復調処理を施すことにより、振幅及び位相のデータを生成する複数の復調回路と、
前記各復調回路から出力されるデータをサブキャリア毎に合成するキャリア合成部と
を備えることを特徴とする受信装置。
【請求項２】
前記複数のアンテナによって受信される各受信信号の受信品質を判定する受信品質判定部をさらに備え、
前記合成部は、前記受信品質判定部の判定結果に基づいて、第１の受信品質を有する前記受信信号から得られた前記ベースバンド信号に乗算する前記重み係数を、前記第１の受信品質より低い第２の受信品質を有する前記受信信号から得られた前記ベースバンド信号に乗算する前記重み係数より相対的に大きくすることを特徴とする請求項１記載の受信装置。
【請求項３】
前記アンテナに接続されたチューナから出力される信号が所定レベルになるように利得を制御するための利得制御信号を前記チューナ及び前記受信品質判定部に出力する複数の利得制御部をさらに備え、
前記受信品質判定部は、前記複数の利得制御部から与えられる前記各利得制御信号に基づいて、前記各アンテナの受信レベルを判定することを特徴とする請求項２記載の受信装置。
【請求項４】
前記受信品質判定部は、前記複数のアンテナを介して得られた前記各ベースバンド信号それぞれにおける、ガード期間の相関レベルを判定することを特徴とする請求項２記載の受信装置。
【請求項５】
前記受信品質判定部は、前記複数のアンテナを介して得られた前記各ベースバンド信号それぞれのうち、一部の信号を復調することにより、信号対雑音比を判定することを特徴とする請求項２記載の受信装置。
【発明の詳細な説明】
【技術分野】
【０００１】
本発明は、受信装置に関する。
【背景技術】
【０００２】
近年、デジタル信号を伝送する方式として、ＯＦＤＭ（Orthogonal Frequency Division Multiplexing：直交周波数分割多重）方式と呼ばれるマルチキャリア（多搬送波）変調方式が開発されている。
【０００３】
ＯＦＤＭ方式は、それぞれ互いに直交する（すなわち干渉しない性質を有する）多数のサブキャリア（搬送波）を発生させ、送信信号を分割して各サブキャリアに割り当てることにより、当該割り当てられた送信信号に応じてサブキャリアの振幅と位相を変化させる変調処理を施した上で多重化して伝送する方式である。
【０００４】
送信信号を分割することによって得られる複数のシンボル信号は、元の送信信号より低速である。このため、伝送方式としてＯＦＤＭ方式を採用すれば、本来の信号がビルなどに反射して複数の経路で到達することにより、受信品質の劣化を引き起こすマルチパス歪みを低減することができる。
【０００５】
ところで、地上デジタル放送は、家庭などの固定受信向けのハイビジョン放送を、自動車などの移動体で受信することが望まれている。このように自動車などの移動体で移動しながら地上デジタル放送を受信する場合には、マルチパス歪みが発生し、これが受信品質を著しく劣化させる。
【０００６】
そこで、地上デジタル放送の移動通信は、マルチパス歪みを低減するため、伝送方式としてＯＦＤＭ方式を採用する。
【０００７】
さらに地上デジタル放送の移動受信は、受信品質を向上させる技術として、ダイバーシチ受信方式を採用する。ダイバーシチ受信方式は、複数のアンテナをそれぞれ移動体の異なる位置に配置し、各アンテナによって受信された複数の受信信号を合成する信号処理を実行することにより、アンテナの指向性を制御する動作を、信号処理によって実現する。
【０００８】
ここで、ＯＦＤＭ方式においてダイバーシチ受信を行う受信装置について説明する。この受信装置は、複数のアンテナを、移動体のそれぞれ異なる位置に配置し、これら各アンテナによって受信された複数の受信信号を、それぞれ３つの帯域に分割する。
【０００９】
そして受信装置は、分割した帯域毎に、各受信信号の振幅と位相のずれに応じて、各受信信号の振幅と位相を制御（変化）させながら合成することにより、各帯域において希望波成分を強める処理を実行し、受信品質を向上させる。
【００１０】
受信装置は、３つの帯域に分割された受信信号を合成した後、ＦＦＴ（Fast Fourier Transform：高速フーリエ変換）を行って、各サブキャリア毎に復調処理を施すことにより、振幅と位相のデータを得てデジタル信号を抽出する（非特許文献１参照）。
【００１１】
しかし、かかる受信装置のように、受信信号を３つの帯域に分割しただけの広い帯域内で、振幅と位相の制御を行っても、遅延時間が長いマルチパスが存在すると、位相を一致させて合成することができなくなり、その結果、マルチパス歪みを低減することができずに、受信品質が劣化するという問題があった。
【００１２】
以下、ダイバーシチ受信に関する文献名を記載する。  
【非特許文献１】情報処理学会研究報告、２００３−ＩＴＳ―１５
【発明の開示】
【発明が解決しようとする課題】
【００１３】
本発明は、マルチパス歪みを抑制して受信品質を向上することができる受信装置を提供することを目的とする。
【課題を解決するための手段】
【００１４】
本発明の一態様による受信装置によれば、
複数のアンテナと、
前記複数のアンテナを介して得られた各ベースバンド信号のうち、それぞれ異なる帯域成分を用いて、前記ベースバンド信号の振幅及び位相を制御するための重み係数を前記ベースバンド信号の数だけ生成し、前記各ベースバンド信号と前記各重み係数とをそれぞれ乗算した上でこれらを加算する複数の合成部と、
前記各合成部から出力される合成信号に対してそれぞれ高速フーリエ変換を行って、各サブキャリア毎に直交周波数分割多重方式に基づく復調処理を施すことにより、振幅及び位相のデータを生成する複数の復調回路と、
前記各復調回路から出力されるデータをサブキャリア毎に合成するキャリア合成部と
を備えることを特徴とする。                                                  
【発明の効果】
【００１５】
本発明の受信装置によれば、マルチパス歪みを抑制して受信品質を向上することができる。
【発明を実施するための最良の形態】
【００１６】
以下、本発明の実施の形態について図面を参照して説明する。
【００１７】
（１）第１の実施の形態
図１に、本発明の第１の実施の形態による受信装置１０の構成を示す。受信装置１０は、例えば自動車などの移動体に搭載され、複数のアンテナ２０Ａ〜２０Ｄが、それぞれ異なる位置に配置されている。
【００１８】
受信装置１０は、例えば放送局においてＯＦＤＭ方式に基づいて変調処理が施され送信されてくる放送波を、複数のアンテナ２０Ａ〜２０Ｄによってそれぞれ受信することにより、ダイバーシチ受信を行う。
【００１９】
アンテナ２０Ａによって受信されたＲＦ（Radio Frequency：無線周波数）信号Ｓ１０Ａは、チューナ３０Ａに入力され、同様に、アンテナ２０Ｂ〜２０Ｄによって受信されたＲＦ信号Ｓ１０Ｂ〜Ｓ１０Ｄは、チューナ３０Ｂ〜３０Ｄに入力される。
【００２０】
チューナ３０Ａは、ＲＦ信号Ｓ１０ＡをＩＦ（Intermediate Frequency：中間周波数）信号Ｓ２０Ａに周波数変換し、これをＡ／Ｄ変換器４０Ａに出力する。同様に、チューナ３０Ｂ〜３０Ｄは、ＲＦ信号Ｓ１０Ｂ〜Ｓ１０ＤをＩＦ信号Ｓ２０Ｂ〜Ｓ２０Ｄに周波数変換してＡ／Ｄ変換器４０Ｂ〜４０Ｄに出力する。
【００２１】
Ａ／Ｄ変換器４０Ａは、ＩＦ信号Ｓ２０Ａをアナログデジタル変換し、デジタル化されたＩＦ信号Ｓ３０ＡをＩＱ（In-phase/Quadrature-phase）復調器５０Ａに出力する。同様に、Ａ／Ｄ変換器４０Ｂ〜４０Ｄは、ＩＦ信号Ｓ２０Ｂ〜Ｓ２０Ｄをアナログデジタル変換し、デジタル化されたＩＦ信号Ｓ３０Ｂ〜Ｓ３０ＤをＩＱ復調器５０Ｂ〜５０Ｄに出力する。
【００２２】
ＩＱ復調器５０Ａは、デジタル化されたＩＦ信号Ｓ３０Ａを直交復調することにより、ベースバンド信号Ｓ４０Ａを生成し、これを合成回路６０Ａ〜６０Ｄに出力する。同様に、ＩＱ復調器５０Ｂ〜５０Ｄは、デジタル化されたＩＦ信号Ｓ３０Ｂ〜Ｓ３０Ｄを直交復調することにより、ベースバンド信号Ｓ４０Ｂ〜Ｓ４０Ｄを生成して合成回路６０Ｂ〜６０Ｄに出力する。なお、ベースバンド信号Ｓ４０Ａ〜Ｓ４０Ｄは、それぞれＩチャネル（実軸成分）とＱチャネル（虚軸成分）からなる複素信号である。
【００２３】
合成回路６０Ａ〜６０Ｄは、それぞれ異なる帯域における希望波成分を強めるように、ベースバンド信号Ｓ４０Ａ〜Ｓ４０Ｄを合成する。
【００２４】
合成回路６０Ａは、ベースバンド信号Ｓ４０Ａ〜Ｓ４０ＤをＢＰＦ（バンドパスフィルタ）７０に入力し、さらにベースバンド信号Ｓ４０Ａを乗算器８０Ａに入力し、ベースバンド信号Ｓ４０Ｂを乗算器８０Ｂに入力し、ベースバンド信号Ｓ４０Ｃを乗算器８０Ｃに入力し、ベースバンド信号Ｓ４０Ｄを乗算器８０Ｄに入力する。
【００２５】
またＢＰＦ７０には、ベースバンド信号Ｓ４０Ａ〜Ｓ４０Ｄを合成することによって生成されたベースバンド信号Ｓ５０Ａが、加算器９０から与えられている。
【００２６】
ＢＰＦ７０は、帯域幅が６ＭＨｚ程度のベースバンド信号Ｓ４０Ａ〜Ｓ４０Ｄを、４つの帯域に分割し、当該分割された４つの帯域のうち、合成回路６０Ａに割り当てられた帯域のみを通過させるためのものである。すなわち、ＢＰＦ７０は、ベースバンド信号Ｓ４０Ａ〜Ｓ４０Ｄと、加算器９０から与えられたベースバンド信号Ｓ５０Ａのうち、合成回路６０Ａに割り当てられた帯域の周波数成分のみを通過させることにより、ベースバンド信号Ｓ６０Ａ〜Ｓ６０Ｅを得、これらを係数制御回路１００に出力する。
【００２７】
係数制御回路１００は、加算器９０からＢＰＦ７０を介して与えられたベースバンド信号Ｓ６０Ｅを基準として、ＩＱ復調器５０Ａ〜５０ＤからＢＰＦ７０を介して与えられたベースバンド信号Ｓ６０Ａ〜Ｓ６０Ｄの振幅及び位相のずれを検出することにより、ベースバンド信号Ｓ６０Ａ〜Ｓ６０Ｄの位相を一致させ、希望波成分を強めるように、複素数Ａｅｊθからなる重み係数Ｓ７０Ａ〜Ｓ７０Ｄを生成し、これらを対応する乗算器８０Ａ〜８０Ｄにそれぞれ出力する。
【００２８】
乗算器８０Ａは、ベースバンド信号Ｓ４０Ａと重み係数Ｓ７０Ａとを乗算することにより、ベースバンド信号Ｓ４０Ａの振幅と位相を調整し、得られたベースバンド信号Ｓ８０Ａを加算器９０に出力する。同様に、乗算器８０Ｂ〜８０Ｄは、ベースバンド信号Ｓ４０Ｂ〜Ｓ４０Ｄと重み係数Ｓ７０Ｂ〜Ｓ７０Ｄとを乗算することにより、ベースバンド信号Ｓ４０Ｂ〜Ｓ４０Ｄの振幅と位相を調整し、得られたベースバンド信号Ｓ８０Ｂ〜Ｓ８０Ｄを加算器９０に出力する。
【００２９】
加算器９０は、ベースバンド信号Ｓ８０Ａ〜Ｓ８０Ｄを加算して合成することによりベースバンド信号Ｓ５０Ａを生成し、これをＢＰＦ７０とＦＦＴ回路１１０Ａに出力する。
【００３０】
このように合成回路６０Ａは、ベースバンド信号Ｓ４０Ａ〜Ｓ４０Ｄのうち、当該合成回路６０Ａに割り当てられた帯域の振幅及び位相のずれに応じて、各ベースバンド信号Ｓ４０Ａ〜Ｓ４０Ｄの振幅と位相を制御（調整）しながらこれらを合成することにより、当該合成回路６０Ａに割り当てられた帯域の希望波成分が強められたベースバンド信号Ｓ５０Ａを生成する。
【００３１】
合成回路６０Ｂ〜６０Ｄは、合成回路６０Ａと同様に、ベースバンド信号Ｓ４０Ａ〜Ｓ４０Ｄのうち、当該合成回路６０Ｂ〜６０Ｄそれぞれに割り当てられた帯域の振幅及び位相のずれに応じて、各ベースバンド信号Ｓ４０Ａ〜Ｓ４０Ｄの振幅と位相を制御（調整）しながらこれらを合成することにより、当該合成回路６０Ｂ〜６０Ｄそれぞれに割り当てられた帯域の希望波成分が強められたベースバンド信号Ｓ５０Ｂ〜Ｓ５０Ｄを生成し、これらを対応するＦＦＴ回路１１０Ｂ〜１１０Ｄに出力する。
【００３２】
ＦＦＴ回路（ＯＦＤＭ復調回路）１１０Ａは、ベースバンド信号Ｓ５０Ａを時間領域の信号から周波数領域の信号に変換するＦＦＴを行って、各サブキャリア毎にＯＦＤＭ方式に基づく復調処理を施すことにより、振幅と位相のデータを得、これを振幅位相データＳ９０Ａとしてキャリア合成回路１２０に出力する。
【００３３】
ＦＦＴ回路１１０Ｂ〜１１０Ｄは、ＦＦＴ回路１１０Ａと同様に、ベースバンド信号Ｓ５０Ｂ〜Ｓ５０Ｄを時間領域の信号から周波数領域の信号に変換するＦＦＴを行って、各サブキャリア毎にＯＦＤＭ方式に基づく復調処理を施すことにより、振幅と位相のデータを得、これを振幅位相データＳ９０Ｂ〜Ｓ９０Ｄとしてキャリア合成回路１２０に出力する。
【００３４】
キャリア合成回路１２０は、各サブキャリア毎に、振幅位相データＳ９０Ａ〜Ｓ９０Ｄの振幅のずれに応じて重み付けを行いながらこれらを合成することにより、希望波成分が強められた振幅位相データＳ１００を生成し、これを誤り訂正回路１３０に出力する。
【００３５】
誤り訂正回路１３０は、振幅位相データＳ１００のデータ判定を行ってデジタル信号を得た後、所定の誤り訂正処理を施し、得られた受信データＳ１１０を図示しない後段の回路に出力する。
【００３６】
このように本実施の形態によれば、ＦＦＴを行う前に、４つの帯域毎にマルチパス歪みを抑制し、さらにＦＦＴを行った後、サブキャリア毎に細かくマルチパス歪みを抑制することができ、これにより受信品質を向上することができる。
【００３７】
（２）第２の実施の形態
図２に、本発明の第２の実施の形態による受信装置２００の構成を示す。なお、図１に示された要素と同一のものには同一の符号を付して説明を省略する。
【００３８】
この受信装置２００の場合、Ａ／Ｄ変換器４０Ａは、デジタル化されたＩＦ信号Ｓ３０ＡをＩＱ復調器５０Ａに出力すると共に、ＡＧＣ（自動利得制御）回路２１０Ａに出力する。同様に、Ａ／Ｄ変換器４０Ｂ〜４０Ｄは、デジタル化されたＩＦ信号Ｓ３０Ｂ〜Ｓ３０ＤをＩＱ復調器５０Ｂ〜５０Ｄに出力すると共に、ＡＧＣ回路２１０Ｂ〜２１０Ｄに出力する。
【００３９】
ＡＧＣ回路２１０Ａは、ＩＦ信号Ｓ３０Ａを基に利得制御信号Ｓ２００Ａを生成し、これをチューナ３０Ａに出力することにより、チューナ３０Ａから出力されるＩＦ信号Ｓ２０Ａの信号レベルが所定レベルになるように制御する。
【００４０】
同様に、ＡＧＣ回路２１０Ｂ〜２１０Ｄは、ＩＦ信号Ｓ３０Ｂ〜Ｓ３０Ｄを基に利得制御信号Ｓ２００Ｂ〜Ｓ２００Ｄを生成し、これをチューナ３０Ｂ〜３０Ｄに出力することにより、チューナ３０Ｂ〜３０Ｄから出力されるＩＦ信号Ｓ２０Ｂ〜Ｓ２０Ｄの信号レベルが所定レベルになるように制御する。
【００４１】
この受信装置２００は、各受信信号の受信品質を判定する受信品質判定部に含まれる受信レベル判定回路２２０を有し、当該受信レベル判定回路２２０にはＡＧＣ回路２１０Ａ〜２１０Ｄから利得制御信号Ｓ２００Ａ〜Ｓ２００Ｄが与えられる。受信レベル判定回路２２０は、利得制御信号Ｓ２００Ａ〜Ｓ２００Ｄに基づいて、各アンテナ２０Ａ〜２０Ｄの受信レベルを判定し、その判定結果を受信レベル情報Ｓ２１０として合成回路２３０Ａ〜２３０Ｄに出力する。
【００４２】
合成回路２３０Ａは、受信レベル情報Ｓ２１０を係数制御回路２４０に入力する。係数制御回路２４０は、受信レベル情報Ｓ２１０を用いて、受信レベルが大きい（受信品質が高い）受信信号から得られたベースバンド信号Ｓ４０Ａ〜Ｓ４０Ｄの重み（すなわち振幅Ａ）を相対的に大きくし、受信レベルが小さい（受信品質が低い）受信信号から得られたベースバンド信号Ｓ４０Ａ〜Ｓ４０Ｄの重みを相対的に小さくするように、重み係数Ｓ７０Ａ〜Ｓ７０Ｄを生成し、これらを対応する乗算器８０Ａ〜８０Ｄにそれぞれ出力する。
【００４３】
同様に、合成回路２３０Ｂ〜２３０Ｄは、受信レベル情報Ｓ２１０を内部の係数制御回路（図示せず）に入力し、合成回路３２０Ａの係数制御回路２４０と同様の処理を行わせる。
【００４４】
このように本実施の形態によれば、ＦＦＴを行う前に、各アンテナ２０Ａ〜２０Ｄの受信レベルに応じて、４つの帯域毎にマルチパス歪みを抑制し、さらにＦＦＴを行った後、サブキャリア毎に細かくマルチパス歪みを抑制することができ、これにより受信品質を向上することができる。
【００４５】
（３）第３の実施の形態
図３に、本発明の第３の実施の形態による受信装置３００の構成を示す。なお、図２に示された要素と同一のものには同一の符号を付して説明を省略する。
【００４６】
この受信装置３００は、各受信信号の受信品質を判定する受信品質判定部に含まれるガード相関判定回路３１０を有し、当該ガード相関判定回路３１０にはＩＱ復調回路５０Ａ〜５０Ｄからベースバンド信号Ｓ４０Ａ〜Ｓ４０Ｄが与えられる。
【００４７】
ところで、ＯＦＤＭ方式では、マルチパスの影響を低減するため、各送信シンボルの先頭に、当該送信シンボルの後方部分がコピーされた、ガード期間と呼ばれる信号期間が付加されている。このガード期間の相関レベルは、アンテナの受信レベルに相当し、ガード期間の相関レベルが大きい場合には受信レベルも大きく、相関レベルが小さい場合には受信レベルも小さい。
【００４８】
ガード相関判定回路３１０は、アンテナ２０Ａ〜２０Ｄから得られたベースバンド信号Ｓ４０Ａ〜Ｓ４０Ｄそれぞれにおける、ガード期間の相関レベルを判定し、その判定結果を相関レベル情報Ｓ３１０として合成回路３２０Ａ〜３２０Ｄに出力する。
【００４９】
合成回路３２０Ａは、相関レベル情報Ｓ３１０を係数制御回路３３０に入力する。係数制御回路３３０は、相関レベル情報Ｓ３１０を用いて、相関レベルが小さい（受信品質が低い）受信信号から得られたベースバンド信号Ｓ４０Ａ〜Ｓ４０Ｄの重み（すなわち振幅Ａ）が小さくなるように、重み係数Ｓ７０Ａ〜Ｓ７０Ｄを生成し、これらを対応する乗算器８０Ａ〜８０Ｄにそれぞれ出力する。
【００５０】
同様に、合成回路３２０Ｂ〜３２０Ｄは、相関レベル情報Ｓ３１０を内部の係数制御回路（図示せず）に入力し、合成回路３２０Ａの係数制御回路３３０と同様の処理を行わせる。
【００５１】
このように本実施の形態によれば、ＦＦＴを行う前に、各アンテナ２０Ａ〜２０Ｄから得られたベースバンド信号Ｓ４０Ａ〜Ｓ４０Ｄの相関レベルに応じて、４つの帯域毎にマルチパス歪みを抑制し、さらにＦＦＴを行った後、サブキャリア毎に細かくマルチパス歪みを抑制することができ、これにより受信品質を向上することができる。
【００５２】
（４）第４の実施の形態
図４に、本発明の第４の実施の形態による受信装置４００の構成を示す。なお、図２に示された要素と同一のものには同一の符号を付して説明を省略する。
【００５３】
この受信装置４００は、各受信信号の受信品質を判定する受信品質判定部に含まれるＳ／Ｎ（信号対雑音比）判定回路４１０を有し、当該Ｓ／Ｎ判定回路４１０にはＩＱ復調回路５０Ａ〜５０Ｄからベースバンド信号Ｓ４０Ａ〜Ｓ４０Ｄが与えられる。
【００５４】
Ｓ／Ｎ判定回路４１０は、アンテナ２０Ａ〜２０Ｄから得られたベースバンド信号Ｓ４０Ａ〜Ｓ４０Ｄそれぞれのうち、一部の信号を復調することにより、Ｓ／Ｎを判定し、その判定結果をＳ／Ｎ情報Ｓ４１０として合成回路４２０Ａ〜４２０Ｄに出力する。
【００５５】
なお、Ｓ／Ｎ判定に使用される信号としては、例えばＢＰＳＫ変調（Binary Phase Shift Keying：２相位相変調）されたＡＣ（Auxiliary Channel）やＴＭＣＣ（Transmission and Multiplexing Configuration Control）などの付加的な情報を伝送するための信号がある。
【００５６】
合成回路４２０Ａは、Ｓ／Ｎ情報Ｓ４１０を係数制御回路４３０に入力する。係数制御回路４３０は、Ｓ／Ｎ情報Ｓ４１０を用いて、Ｓ／Ｎが小さい（受信品質が低い）受信信号から得られたベースバンド信号Ｓ４０Ａ〜Ｓ４０Ｄの重み（すなわち振幅Ａ）が小さくなるように、重み係数Ｓ７０Ａ〜Ｓ７０Ｄを生成し、これらを対応する乗算器８０Ａ〜８０Ｄにそれぞれ出力する。
【００５７】
同様に、合成回路４２０Ｂ〜４２０Ｄは、Ｓ／Ｎ情報Ｓ４１０を内部の係数制御回路（図示せず）に入力し、合成回路４２０Ａの係数制御回路４３０と同様の処理を行わせる。
【００５８】
このように本実施の形態によれば、ＦＦＴを行う前に、各アンテナ２０Ａ〜２０Ｄから得られたベースバンド信号Ｓ４０Ａ〜Ｓ４０ＤのＳ／Ｎに応じて、４つの帯域毎にマルチパス歪みを抑制し、さらにＦＦＴを行った後、サブキャリア毎に細かくマルチパス歪みを抑制することができ、これにより受信品質を向上することができる。
【００５９】
（５）第５の実施の形態
図５に、本発明の第５の実施の形態による受信装置５００の構成を示す。なお、図２に示された要素と同一のものには同一の符号を付して説明を省略する。
【００６０】
この受信装置５００は、各受信信号の受信品質を判定する受信品質判定部に含まれるアナログ妨害判定回路５１０を有し、当該アナログ妨害判定回路５１０にはＩＱ復調回路５０Ａ〜５０Ｄからベースバンド信号Ｓ４０Ａ〜Ｓ４０Ｄが与えられる。
【００６１】
アナログ妨害判定回路５１０は、アンテナ２０Ａ〜２０Ｄから得られたベースバンド信号Ｓ４０Ａ〜Ｓ４０Ｄそれぞれのうち、例えばアナログテレビジョン放送による放送波のキャリア周波数に相当する周波数成分を解析することにより、アナログ妨害のレベルを判定し、その判定結果をアナログ妨害情報Ｓ５１０として合成回路５２０Ａ〜５２０Ｄに出力する。
【００６２】
合成回路５２０Ａは、アナログ妨害情報Ｓ５１０を係数制御回路５３０に入力する。係数制御回路５３０は、アナログ妨害情報Ｓ５１０を用いて、アナログ妨害レベルが大きい（受信品質が低い）受信信号から得られたベースバンド信号Ｓ４０Ａ〜Ｓ４０Ｄの重み（すなわち振幅Ａ）が小さくなるように、重み係数Ｓ７０Ａ〜Ｓ７０Ｄを生成し、これらを対応する乗算器８０Ａ〜８０Ｄにそれぞれ出力する。
【００６３】
同様に、合成回路５２０Ｂ〜５２０Ｄは、アナログ妨害レベルＳ５１０を内部の係数制御回路（図示せず）に入力し、合成回路５２０Ａの係数制御回路５３０と同様の処理を行わせる。
【００６４】
このように本実施の形態によれば、ＦＦＴを行う前に、各アンテナ２０Ａ〜２０Ｄから得られたベースバンド信号Ｓ４０Ａ〜Ｓ４０Ｄのアナログ妨害レベルに応じて、４つの帯域毎にマルチパス歪みを抑制し、さらにＦＦＴを行った後、サブキャリア毎に細かくマルチパス歪みを抑制することができ、これにより受信品質を向上することができる。
【００６５】
なお、上述の実施の形態は一例であって、本発明を限定するものではない。例えば４つのアンテナに対して２つの合成回路と２つのＦＦＴ回路を設けても良く、要は、複数のアンテナを配置し、さらにアンテナの数にかかわらずに複数の合成回路を設けると共に、当該合成回路と同一の数のＦＦＴ回路を設ければ良い。
【図面の簡単な説明】
【００６６】
【図１】本発明の第１の実施の形態による受信装置の構成を示すブロック図である。
【図２】本発明の第２の実施の形態による受信装置の構成を示すブロック図である。
【図３】本発明の第３の実施の形態による受信装置の構成を示すブロック図である。
【図４】本発明の第４の実施の形態による受信装置の構成を示すブロック図である。
【図５】本発明の第５の実施の形態による受信装置の構成を示すブロック図である。
【符号の説明】
【００６７】
１０、２００、３００、４００、５００  受信装置
２０  アンテナ
３０  チューナ
４０  Ａ／Ｄ変換器
５０  ＩＱ復調器
６０、２３０、３２０、４２０、５２０  合成回路
７０  ＢＰＦ
８０  乗算器
９０  加算器
１００、２４０、３３０、４３０、５３０  係数制御回路
１１０  ＦＦＴ回路
１２０  キャリア合成回路
２１０  ＡＧＣ回路
２２０  受信レベル判定回路
３１０  ガード相関判定回路
４１０  Ｓ／Ｎ判定回路
５１０  アナログ妨害判定回路
【図１】
2006217399.tif 000003
【図２】
2006217399.tif 000004
【図３】
2006217399.tif 000005
【図４】
2006217399.tif 000006
【図５】
2006217399.tif 000007